(57)【特許請求の範囲】
【請求項１】
センサ素子と該センサ素子の基端側を覆うように設けた大気側絶縁碍子と，上記センサ素子が挿入固定される筒状のハウジングと，該ハウジングの基端側に配置され，上記大気側絶縁碍子を覆うように設けた大気側カバーとを有し，
上記大気側絶縁碍子内に収納され，先端側が上記センサ素子に対し電気的に接続されると共に，大気側絶縁碍子内を軸方向に貫通するよう設けたリード部挿通孔を経由して，基端側が大気側絶縁碍子の基端側より突出状態にある突出部を設けたリード部を有し，
先端側が上記リード部の突出部の少なくとも一部に，基端側がガスセンサ外部より延設されたリード線に対し接続されてなるコネクタ部を有し，
上記コネクタ部は上記リード部を固定する固定部と，上記大気側絶縁碍子の基端側に対し係止可能な係止部を有し，
該係止部はコネクタ部の先端部に対し一体的に延設されたストッパー部であり，
該ストッパー部は面取りされ，先端側に向かうほど薄肉に構成されており，
上記コネクタ部と上記リード部との間はかしめ固定，溶接固定，ろう付け固定のいずれか１種以上によって固定されてなることを特徴とするガスセンサ。
【請求項２】
請求項１において，上記ストッパー部は先端側に向かうほど拡がるよう構成されていることを特徴とするガスセンサ。
【請求項３】
請求項１又は２において，上記コネクタ部は断面矩形に構成され，各面を延長することにより構成された上記ストッパー部を有し，該ストッパー部は先端側に向かうほど拡がるように構成されていることを特徴とするガスセンサ。
【請求項４】
請求項１〜３のいずれか一項において，上記コネクタ部の断面形状は一部スリットを有する形状であることを特徴とするガスセンサ。
【発明の詳細な説明】
【０００１】
【技術分野】
本発明は，内燃機関の排気系に設置して空燃比制御等に利用されるガスセンサに関する。
【０００２】
【従来技術】
自動車エンジンの排気系に設置して，空燃比制御等に利用される排ガス中の酸素濃度測定用ガスセンサとして，次の構成が知られている。
このガスセンサは，センサ素子と該センサ素子を挿入固定する筒状の素子側絶縁碍子と，該素子側絶縁碍子の基端側に配置されてセンサ素子の基端側を覆うように設けた大気側絶縁碍子とを有する。また，上記素子側絶縁碍子を挿入固定する筒状のハウジングと，該ハウジングの基端側に配置され，大気側絶縁碍子を覆うように設けた大気側カバーとを有する
【０００３】
上記ガスセンサにおいて，大気側絶縁碍子内にはセンサ素子に対し電気的に接続された複数本のリード部が配置されている。
上記リード部は筒状のコネクタ部を用いてガスセンサ外部に引き出されたリード線に電気的に接続されている。
そして，上記リード線はコネクタ部における基端側から，図１６（ｂ）に示すごとく，上記リード部１６はコネクタ部９２における先端側９２０から挿通固定されている。
この筒状のコネクタ部９２は，図１６（ａ）に示すごとく，一枚の平板を丸めて断面略矩形の筒状に構成した金属部材よりなる。
【０００４】
【解決しようとする課題】
このようなコネクタ部９２を用いてリード部１６とリード線１７とを電気的に接続する場合，図１７に示すごとく，コネクタ部９２が大気側絶縁碍子３２に設けたリード部挿通孔３２２より落ち込んで，大気側絶縁碍子３２の内部に入り込んでしまうことがあった。
この場合，大気側絶縁碍子３２の外部に露出し，コネクタ部２とリード部１６とを挿通固定するための溶接可能な領域が狭くなる。
よって，溶接固定の位置や，溶接固定前に行なうかしめ固定の位置を変更したり，かしめ量を変更せねば，コネクタ部９２とリード部１６との固定ができず，非常に面倒であった。更に，かしめ量を変更する際は溶接条件を変更する必要もあるため，更に面倒である。
【０００５】
コネクタ部９２の落ち込み防止のために，大気側絶縁碍子３２におけるリード部挿通孔３２２の径を小さくするという案も考えられるが，これによりコネクタ部９２に対するリード部１５の挿通作業の難易度が増すため，好ましい解決策ではない。
特に，リード部１６を自動組付けで挿通する際は，ある程度以上に挿通孔３２２の孔径を小さくすることは困難である。
更に，リード部挿通孔３２２は大気導入孔としても使用しているので，ある程度以上に孔径を小さくすると，大気の十分な導入ができなくなる。
【０００６】
本発明は，かかる従来の問題点に鑑みてなされたもので，リード部のコネクタ部に対する挿通固定をコネクタ部における一定の箇所において実現可能なガスセンサを提供しようとするものである。
【０００７】
【課題の解決手段】
請求項１に記載の発明は，センサ素子と該センサ素子の基端側を覆うように設けた大気側絶縁碍子と，上記センサ素子が挿入固定される筒状のハウジングと，該ハウジングの基端側に配置され，上記大気側絶縁碍子を覆うように設けた大気側カバーとを有し，
上記大気側絶縁碍子内に収納され，先端側が上記センサ素子に対し電気的に接続されると共に，大気側絶縁碍子内を軸方向に貫通するよう設けたリード部挿通孔を経由して，基端側が大気側絶縁碍子の基端側より突出状態にある突出部を設けたリード部を有し，
先端側が上記リード部の突出部の少なくとも一部に，基端側がガスセンサ外部より延設されたリード線に対し接続されてなるコネクタ部を有し，
上記コネクタ部は上記リード部を固定する固定部と，上記大気側絶縁碍子の基端側に対し係止可能な係止部を有し，
該係止部はコネクタ部の先端部に対し一体的に延設されたストッパー部であり，
該ストッパー部は面取りされ，先端側に向かうほど薄肉に構成されており，
上記コネクタ部と上記リード部との間はかしめ固定，溶接固定，ろう付け固定のいずれか１種以上によって固定されてなることを特徴とするガスセンサにある。
【０００８】
次に，本発明の作用につき説明する。
コネクタ部に係止部を設けることで，コネクタ部をリード部や大気側絶縁碍子に対して一定位置に保持することができ，常に一定の箇所での挿通固定を容易に実現できる。
【０００９】
以上，本発明によれば，リード部のコネクタ部に対する挿通固定をコネクタ部における一定の箇所において実現可能なガスセンサを提供することができる。
【００１０】
次に，上記係止部はコネクタ部の先端部に対し一体的に延設されたストッパー部である。
これにより，別部品を設けずにコネクタ部をリード部や大気側絶縁碍子に対して一定位置に保持することができ，常に一定の箇所での挿通固定を容易に実現できる。
【００１１】
また，上記先端部の径は大気側絶縁碍子に設けたリード部挿通孔よりも大きな径とすることが好ましい。これにより，より確実にコネクタ部の落ち込みを防止することができる。
また，ストッパー部を，先端部の径よりもより大きな径を形成するようならっぱ状や部分的ならっぱ状に構成することである（図３参照）。このような構成とすることで，確実にリード部挿通孔からのコネクタ部の落ち込みを防止できる。
また，ストッパー部は先端部の縁に対し径方向に連続したらっぱ状の形状の他，径方向に部分的に形成することもできる（図３，図６参照）
また，先端部の縁にストッパー部以外にリード部を挿入しやすくするために識別部（図３参照）を設けることもある。
【００１２】
次に，請求項２に記載の発明のように，上記ストッパー部は先端側に向かうほど拡がるよう構成されていることが好ましい（図３，図５（ａ）参照）。
これにより，さらに確実にリード部挿通孔からのコネクタ部の落ち込みを防止できると共に，コネクタ部に対しリード部を挿通する作業が容易となる。
【００１３】
次に，上記ストッパー部は面取りされ，先端側に向かうほど薄肉に構成されている（図５（ｂ）参照）。
これにより，コネクタ部に対しリード部を挿入し易くすることができる。
【００１４】
次に，請求項３記載の発明のように，上記コネクタ部は断面矩形に構成され，各面を延長することにより構成されたストッパー部を有し，該ストッパー部は先端側に向かうほど拡がるように構成されていることが好ましい（図６参照）。
これにより，コネクタ部に対しリード部を挿入しやすくすることができる。また，４方向のずれを吸収することができる。
【００１５】
次に，センサ素子と該センサ素子の基端側を覆うように設けた大気側絶縁碍子と，上記センサ素子が挿入固定される筒状のハウジングと，該ハウジングの基端側に配置され，上記大気側絶縁碍子を覆うように設けた大気側カバーとを有し，
上記大気側絶縁碍子内に収納され，先端側が上記センサ素子に対し電気的に接続されると共に，大気側絶縁碍子内を軸方向に貫通するよう設けたリード部挿通孔を経由して，基端側が大気側絶縁碍子の基端側より突出状態にある突出部を設けたリード部を有し，
先端側が上記リード部の突出部の少なくとも一部に，基端側がガスセンサ外部より延設されたリード線に対し接続されてなるコネクタ部を有し，
上記コネクタ部は上記リード部を固定する固定部を有し，
上記リード部は，上記大気側絶縁碍子の基端側に対し係止可能な係止部を有し，
上記コネクタ部と上記リード部との間はかしめ固定，溶接固定，ろう付け固定のいずれか１種以上によって固定されてなることを特徴とするガスセンサがある（図１１，図１２参照）。
【００１６】
係止部をリード部の側に設けた場合でも，上記と同様にコネクタ部を上記リード部や大気側絶縁碍子に対して一定位置に保持することができ，常に一定の箇所での挿通固定が容易に実現できる。
【００１７】
以上，本発明によれば，リード部のコネクタ部に対する挿通固定をコネクタ部における一定の箇所において実現可能なガスセンサを提供することができる。
【００１８】
なお，上記係止部は，例えばリード部の該当箇所に切り込みを設け，切り込まれた部分を突出させる等して構成することができる。また，打ち出して形成した凸部を利用することができる（図１２参照）。
【００１９】
次に，センサ素子と該センサ素子の基端側を覆うように設けた大気側絶縁碍子と，上記センサ素子が挿入固定される筒状のハウジングと，該ハウジングの基端側に配置され，上記大気側絶縁碍子を覆うように設けた大気側カバーとを有し，
上記大気側絶縁碍子内に収納され，先端側が上記センサ素子に対し電気的に接続されると共に，大気側絶縁碍子内を軸方向に貫通するよう設けたリード部挿通孔を経由して，基端側が大気側絶縁碍子の基端側より突出状態にある突出部を設けたリード部を有し，
先端側が上記リード部の突出部の少なくとも一部に，基端側がガスセンサ外部より延設されたリード線に対し接続されてなるコネクタ部を有し，
上記リード部に対し，該リード部とは異なる部材より構成された係止部を設けてなり，
上記コネクタ部と上記リード部との間はかしめ固定，溶接固定，ろう付け固定のいずれか１種以上によって固定されてなることを特徴とするガスセンサがある（図１３，図１４参照）。
【００２０】
別体の係止部を設けることで，上記と同様にコネクタ部を上記リード部や大気側絶縁碍子に対して一定位置に保持することができ，このため，かしめ溶接部の位置に変動がなく，常に一定の箇所での挿通固定が容易に実現できる。
また，従来構造のコネクタ部やリード部をそのまま用いて，別加工をする必要がないため，便利である。
【００２１】
以上，本発明によれば，リード部のコネクタ部に対する挿通固定をコネクタ部における一定の箇所において実現可能なガスセンサを提供することができる。
【００２２】
次に，センサ素子と該センサ素子の基端側を覆うように設けた大気側絶縁碍子と，上記センサ素子が挿入固定される筒状のハウジングと，該ハウジングの基端側に配置され，上記大気側絶縁碍子を覆うように設けた大気側カバーとを有し，
上記大気側絶縁碍子内に収納され，先端側が上記センサ素子に対し電気的に接続されると共に，大気側絶縁碍子内を軸方向に貫通するよう設けたリード部挿通孔を経由して，基端側が大気側絶縁碍子の基端側より突出状態にある突出部を設けたリード部を有し，
先端側が上記リード部の突出部の少なくとも一部に，基端側がガスセンサ外部より延設されたリード線に対し接続されてなるコネクタ部を有し，
上記コネクタ部の先端側に大気側絶縁碍子内に収納可能な延長部を設けてなり，該延長部は上記リード部に予め設けた肩部に対し当接可能となるよう構成されていることを特徴とするガスセンサがある（図１５参照）。
【００２３】
これにより，延長部は肩部にあたって当接し，肩部よりその位置が動かないため，大気側絶縁碍子に対して一定位置に保持することができ，このため，かしめ溶接部の位置に変動がなく，常に一定の箇所での挿通固定が容易に実現できる。
【００２４】
以上，本発明によれば，リード部のコネクタ部に対する挿通固定をコネクタ部における一定の箇所において実現可能なガスセンサを提供することができる。
【００２５】
次に，請求項４記載の発明のように，上記コネクタ部の断面形状は一部スリットを有する形状とすることが好ましい。
これにより，コネクタ部の加工や組付けを容易に行なうことができる。
【００２６】
次に，上記コネクタ部と上記リード部との間はかしめ固定，溶接固定，ろう付け固定のいずれか１種以上によって固定されてなる。
これにより，コネクタ部とリード部とを確実に固定できる。
また，かしめ固定と溶接固定とを併用する等，異なる方法を組み合わせることもできる。
【００２７】
本発明にかかる構成は後述する図１に示すような積層型で板状のセンサ素子を搭載したものの他，コップ型のセンサ素子を搭載したもの（図８参照）に適用することができる。
また，本発明にかかる構成は車両用内燃機関搭載用の酸素センサ，空燃比センサの他，特に積層型の場合はＮＯｘセンサ，ＣＯセンサ等に適用することができる。
【００２８】
【発明の実施の形態】
実施形態例１
本発明の実施形態例にかかるガスセンサにつき，図１〜図６を用いて説明する。
本例のガスセンサは，図１，図２に示すごとく，センサ素子１５９と該センサ素子１５９を挿入固定する筒状の素子側絶縁碍子３１と，該素子側絶縁碍子３１の基端側に配置され，センサ素子１５９の基端側を覆うように設けた大気側絶縁碍子３２とを有する。
そして，上記素子側絶縁碍子３１を挿入固定する筒状のハウジング１０と，該ハウジング１０の基端側に配置され，大気側絶縁碍子３２を覆うように設けた大気側カバー１１とを有する。
【００２９】
また，上記大気側絶縁碍子３２内に収納され，先端側が上記センサ素子１５９に対し電気的に接続されると共に，大気側絶縁碍子３２内を軸方向に貫通するよう設けたリード部挿通孔３２２を経由して，基端側が大気側絶縁碍子３２の基端側より突出状態にある４本のリード部１６を有する。なお，図１，図２では４本中２本のリード部１６だけ図示されている。他のものはこの図面から見えない位置にある。
【００３０】
また，先端側が上記４本のリード部１６に対しそれぞれ電気的に接続されると共に，基端側がガスセンサ１の外部に引き出された状態にある４本のリード線１７を有する。上記と同様に図１，図２では４本中２本のリード線１７だけが図示されている。
【００３１】
そして，リード部１６の基端側とリード線１７の先端側との間の電気的な接続は筒状のコネクタ部２により確保されている。
この接続は，コネクタ部２の先端側よりリード部１６における大気側絶縁碍子３２の基端側より突出状態にある部分が挿通固定され，他端側よりリード線１７が挿通固定されることで実現される。
【００３２】
上記コネクタ部２は上記リード部１６を固定する固定部と，上記大気側絶縁碍子３２の基端側に対し係止可能な係止部を有する。
本例において固定部は以下に示すかしめ溶接部２０１，係止部はストッパー部２１２である。
図３に示すごとく，コネクタ部２はリード部１６を挿通固定するためのかしめ溶接部２０１を設けた本体部２０を有し，該本体部２０におけるかしめ溶接部２０１の径よりも太い径を有する先端部２１を大気側絶縁碍子３２の側に有する。
また，先端部２１にはストッパー部２１２が設けてあり，該ストッパー部２１２は先端側に向かうほど拡がるよう構成されている。
【００３３】
以下，詳細に説明する。
図１に示すごとく，本例のガスセンサ１は，ハウジング１０の先端側に外側カバー１５１と内側カバー１５２とよりなる二重構造の被測定ガス側カバー１５が設けてある。また，外側カバー１５１，内側カバー１５２には被測定ガスをカバー内に導入するための導入孔１５０が設けてある。
上記ハウジング１０の基端側に大気側カバー１１が設けてある。
大気側カバー１１の基端側には撥水フィルタ１３を介して外側カバー１２がかしめ固定されている。
【００３４】
素子側絶縁碍子３１内にはセンサ素子１５９が挿入固定され，碍子３１の内側面とセンサ素子１５９との間はガラス封止材３１０にて封止されている。
また，素子側絶縁碍子３１はハウジング１０の内側面に突出して設けられた碍子受け面１００に対し金属パッキン１０１を介して設置されている。
【００３５】
上記素子側絶縁碍子３１の基端側の端面３１１に当接して，上記大気側絶縁碍子３２が当接配置されている。
大気側カバー１２は基端側が径細，先端側が径大となっており，両者間には段部１１０が形成されている。この段部１１０の内側面と大気側絶縁碍子３２の基端側の端面３２１とは皿バネ１１９を介して接している。
皿バネ１１９から生じる弾発力が大気側絶縁碍子３２を素子側絶縁碍子３１−段部１１０間に保持固定する。
【００３６】
大気側絶縁碍子３２の内部は，基端側に設けた４つの挿通孔３２２と該挿通孔３２２と連通した内部空間３２０とよりなる。内部空間３２０は大気側絶縁碍子３２の先端側に開口しているため，この内部空間３２０を含めて上記挿通孔３２２は絶縁碍子３２中で軸方向に貫通するよう構成されている。
内部空間３２０の内側面にはリブ３２５が設けてある。このリブ３２５が各リード部１６の位置決めとリード部１６間の絶縁を確保している。
【００３７】
図示は略したが，本例のセンサ素子１５９はヒータ内蔵型である。そのためセンサ素子１５９にはセンサ出力取出し用のリード端子が２つ，ヒータ通電用のリード端子が２つ，合計４個設けてある。
これらのリード端子と電気的導通が取れるように，４個のリード部１６が大気側絶縁碍子３２内に配置される。そして，各リード部１６の先端側がセンサ素子１５９に設けた各リード端子に対し当接する。
各リード部１６の他端側はリード部挿通孔３２２を通じて大気側絶縁碍子３２の基端側より突出状態にある。このように外部に突出した部分において，上記リード部１６はコネクタ部２に挿通固定される。
【００３８】
図２に示すごとく，上記大気側カバー１１の基端側付近の内部には弾性絶縁部材１４が配置されている。この弾性絶縁部材１４はリード線挿通孔１４１が４つ設けてあり，各挿通孔１４１にリード線１７が挿通配置されている。なお，弾性絶縁部材１４と大気側絶縁碍子３２との間は空間１４０が形成されている。
リード線挿通孔１４１の先端側は基端側より径太に構成された径太部１４２である。径太部１４２において，コネクタ部２に対しリード線１７が挿通固定される。
【００３９】
次に，コネクタ部２について説明する。
図３（ａ）はコネクタ部２の斜視図である。
コネクタ部２は所定形状の金属板を丸めて端部同士を突き合わせ，断面略矩形とすることで構成されている。
コネクタ部２は基端部２３，本体部２０，先端部２１からなり，基端部２３においてリード線１７が挿通固定，本体部２０におけるかしめ溶接部２０１において，リード部１６が挿通固定される。
【００４０】
本体部２０は窓部２２を有する。窓部２２はかしめ溶接部２０１よりも基端部側に設けてある。図３（ｂ）に示すごとく，かしめ溶接部２０１は先端部２１よりも径細に構成されている。
本例において，先端部２１のＲは０．６ｍｍ，かしめ溶接部２０１のｒは０．４ｍｍである。
先端部２１からは識別部２１１とストッパー部２１２とが延設されている。ガスセンサ１内への組付け時には大気側絶縁碍子３２の基端側の端面３２１と識別部２１１，ストッパー部２１２の最先端とが当接するようコネクタ部２を配置する。
【００４１】
次に，上記コネクタ部２とリード線１７，リード部１６との電気的な接続について説明する。
リード線１７をコネクタ部２の基端部２３に所定位置まで挿入後，基端部２３をかしめて，リード線１７を固定する。
次いで，大気側絶縁碍子３２の先端側からコネクタ部２を挿入する。コネクタ部２の他端側の一部は大気側絶縁碍子３２におけるリード部挿通孔３２２を通じて大気側絶縁碍子３２外部に突出する。
【００４２】
この突出した部分に対し，図４（ａ）に示すごとく，上記リード線１７が挿通固定されたコネクタ部２を挿通し，上記コネクタ部２の先端部２１より延設された識別部２１１，ストッパー部２１２とを大気側絶縁碍子３２の端面３２３に突き当てる。
これにより，図３（ｂ）に示すごとく，コネクタ部２の内部にリード部１６の基端側が入り込む。
【００４３】
その後，かしめ溶接部２０１に対し外部から押圧力を加えてコネクタ部２に対しリード部１６をかしめ固定する。その後，図４（ｂ）に示すごとく，かしめ溶接部２０１に対し，レーザー溶接を施す。同図における符号４はレーザー照射装置である。以上によりコネクタ部２に対しリード部１６が挿通固定される。
その後，素子側絶縁碍子３１に封止固定されたセンサ素子１５９の基端部をリード部１６間に押し込み，リード部１６−センサ素子１５９間の電気的導通が取れるように両者を当接させる等してガスセンサ１を組み立てる。
【００４４】
次に，本例の作用につき説明する。
本例のガスセンサ１では，大気側絶縁碍子３２側にあるコネクタ部２の先端部２１の径が太くなっているため，コネクタ部２のリード部挿通孔３２２からの大気側絶縁碍子３２内への落ち込みを防止できる。このため，かしめ溶接部２０１の位置に変動がなく，常に一定の箇所でのかしめ固定や溶接の実行が容易となる。
なお，このかしめ溶接部２０１の位置とは，大気側絶縁碍子３２の端面３２３に対する相対位置である。
【００４５】
また，本例の構成で径を太くするのはコネクタ部２における大気側絶縁碍子３２側の先端部２１のみで，本体部２０や他の部分（かしめ溶接部２０１等の径）を変更する必要がない。このため，従来品の製作工程を本例にかかるガスセンサ１の製作工程へと変更するに当り，かしめや溶接の条件を変更する必要がなく，容易に実現可能である。
また，リード部挿通孔３２２の径を小さくする必要がなく，従来品と同程度にリード部１６の挿通を容易とすることができる。更に，リード部挿通孔３２２を通じてセンサ素子１５９に対して十分な大気導入を図ることができる。
【００４６】
以上，本例によれば，リード部のコネクタ部に対する挿通固定をコネクタ部における一定の箇所において実現可能なガスセンサを提供することができる。
【００４７】
なお，上述した形状以外のコネクタ部２を本例にかかるガスセンサ１に用いることができる。具体的には，図５（ａ）に示すごとく，先端部２１より延設された識別部２１１，ストッパー部２１２を有し，両者は共に先端に向かうほど拡がるように構成されている。
これにより，リード部をコネクタ部に挿通しやすくすることができる。
【００４８】
また，図５（ｂ）に示すごとく，先端部２１より延設された識別部２１１とストッパー部２１２とを有し，識別部２１１，ストッパー部２１２は先端に向かうほど拡がるよう構成されると共に，面取りされ，先端側に向かうほど薄肉に構成されている。
これにより，リード部をコネクタ部に挿通しやすくすることができる。
【００４９】
また，図６に示すごとく，コネクタ部２は断面矩形に構成され，各面を延長することにより構成された４枚のストッパー部２１３を有し，該ストッパー部２１３は先端側に向かうほど拡がるように構成されている。
これにより，コネクタ部２に対しリード部１６を挿入しやすくすることができる。また，４方向のずれを吸収することができる。
【００５０】
また，コネクタ部２の断面形状は，図７に示すごとく，様々な形状とすることができる。
図７（ａ）は断面四角形で，側面にスリット２０９を設けてある。図７（ｂ）は断面コ字型である。図７（ｃ）は断面円形で，側面にスリット２０９を設けてある。図７（ｄ）は断面円形で，図７（ｅ）は断面四角形で，それぞれ平板を所定の形状に曲げて溶接により筒状として構成したものである。なお符号２０８は溶接部である。
また，図７（ｆ）は断面がＵ字型のものである。
上記いずれの形状であっても，上述と同様の作用効果を得ることができる。
【００５１】
実施形態例２
図８に示すごとく，コップ型のセンサ素子３５を搭載したガスセンサ３に本発明の構成を適用することもできる。
このガスセンサ３は，筒状のハウジング３１に対し，有底円筒コップ型の固体電解質体３５８と該固体電解質体３５８の内部に挿入配置された棒状のヒータ３５９とよりなるセンサ素子３５が挿通配置されている。
このセンサ素子３５とハウジング３１との間は，パッキン３１１，粉末シール材３１２，セラミック材３１３によってシールされている。
そして，上記セラミック材３１３の基端面に当接して金属リング３１４が配置され，該金属リング３１４を外側から巻き込むようにハウジング３１の基端側をかしめることで，センサ素子３５がハウジング３１に固定される。
【００５２】
本例では，リード部３６１の先端側はセンサ素子３５の外周面を取り巻くことができるよう環状に構成され，この先端側がセンサ素子３５に嵌め込まれることで，センサ素子３５における被測定ガス側電極（図示略）と電気的導通がとられている。
また，リード部３６２の先端側は断面環状のヒータホルダ３６５が形成されており，該ヒータホルダ３６５は上記棒状のヒータ３５９をセンサ素子３５の内部に固定すると共に，センサ素子３５における大気側電極（図示略）と電気的導通が取られるよう構成されている。
【００５３】
そして，上記リード部３６１，３６２の基端側は大気側絶縁碍子３２のリード部挿通孔３２２を経由して，大気側絶縁碍子３２の基端側より突出し，ここにおいてコネクタ部２によって，リード線１７に接続される。
その他，詳細は実施形態例１と同様である。
また，本例のようにコップ型のセンサ素子３５の場合でも実施形態例１と同様の作用効果を有する。
【００５４】
実施形態例３
本例は，図９及び図１０に示すごとく，係止部４１がコネクタ部２の側面に設けてるガスセンサである。
図１０に示すごとく，コネクタ部２は断面四角形で，スリット部４０を有した管状体である。そしてコネクタ部２の先端側は大気側絶縁碍子３２のリード部挿通孔３２２に入り込んだ状態にある。図１０に示すごとく，上記コネクタ部４１の側面において突出形成された係止部４１が，図９に示すように大気側絶縁碍子３２の基端側の端面３２３に係止することで，コネクタ部２が一定量以上，リード部挿通孔３２２内に落ち込むことが防止できる。
その他詳細は実施形態例１と同様で，作用効果も同様である。
【００５５】
参考例１
本例は，図１１及び図１２に示すごとく，上記大気側絶縁碍子の基端側に対し係止可能な係止部を有するリード部１６をもったガスセンサについて説明する。
図１２（ａ）に示すごとく，リード部１６の基端側に切り込みをいれ，これをリード部１６の表面から起こして突出させる。この突出した部分が係止部４２となる。
【００５６】
図１１に示すごとく，係止部４２を有するリード部１６に対し，コネクタ部２を差し込むことで，係止部４２がコネクタ部２の内面に対し係止され，コネクタ部２が係止部４２を設けた位置に固定される。よって，コネクタ部２がリード部挿通孔３２２内に落ち込むことが防止できる。
その他詳細は実施形態例１と同様で，作用効果も同様である。
【００５７】
また，図１２（ｂ）は，リード部１６の側面端から切り込みを入れ（幅の半分くらいまで），これをリード部１６の表面から起こして突出させて構成した係止部４２である。
また，図１２（ｃ）は，リード部１６の所望の位置を打ち出して構成した係止部４２である。
両者共に上記と同様の作用効果を得ることができる。
【００５８】
参考例２
本例は，図１３，図１４に示すごとく，上記リード部１６に対し，該リード部１６とは異なる部材より構成された係止部４３を設けたガスセンサである。
図１４（ａ）に示すごとく，本例の別部材の係止部４３は断面円形の筒状で側面の一部にスリット４００を有する。
そして，図１３に示すごとく，大気側絶縁碍子３２の基端側において，リード部１６とコネクタ部２との間に上記係止部４３を介在させる。
【００５９】
コネクタ部２は係止部４３を設けた位置に固定される。よって，コネクタ部２がリード部挿通孔３２２内に落ち込むことが防止できる。
その他詳細は実施形態例１と同様で，作用効果も同様である。
【００６０】
なお，上記係止部４３としては，図１４（ｂ）に示すごとく，断面形状角型としたものを用いることもできる。
【００６１】
参考例３
本例は，図１５に示すごとく，コネクタ部２の先端側に大気側絶縁碍子３２内に収納可能な延長部２１９を設けた構成のガスセンサである。
同図に示すように，コネクタ部２はリード部挿通孔３２２に対し収納可能な大きさに構成した延長部２１９を有する。
また，リード部１６は基端側にガスセンサ軸方向に関する折り返しが設けてあり，ここが肩部１６９となる。
そして，上記延長部２１９の先端は上記肩部１６９に当接し，ここの位置で固定される。よって，コネクタ部２がリード部挿通孔３２２内に落ち込むことが防止できる。
その他詳細は実施形態例１と同様で，作用効果も同様である。
【図面の簡単な説明】
【図１】  実施形態例１における，ガスセンサの断面説明図。
【図２】  実施形態例１における，ガスセンサの要部断面説明図。
【図３】  実施形態例１における，コネクタ部の（ａ）斜視図，（ｂ）要部断面説明図。
【図４】  実施形態例１における，（ａ）コネクタ部とリード部との接続についての説明図，（ｂ）かしめ溶接部における溶接の説明図。
【図５】  実施形態例１における，他の形状のコネクタ部の要部断面説明図。
【図６】  実施形態例１における，他の形状のコネクタ部の要部説明図。
【図７】  実施形態例１における，各種断面形状を有するコネクタ部の説明図。
【図８】  実施形態例２における，コップ型のセンサ素子を設けたガスセンサの断面説明図。
【図９】  実施形態例３における，コネクタ部の側面に係止部を設けたガスセンサの要部断面図。
【図１０】  実施形態例３における，コネクタ部の要部説明図。
【図１１】  参考例１における，リード部に係止部を設けたガスセンサの要部断面説明図。
【図１２】  参考例１における，各種係止部の説明図。
【図１３】  参考例２における，別部材の係止部を設けたガスセンサの要部断面説明図。
【図１４】  参考例２における，各種係止部の説明図。
【図１５】  参考例３における，コネクタ部に延長部を設けたガスセンサの要部断面説明図。
【図１６】  従来にかかる，コネクタ部の（ａ）斜視図，（ｂ）要部断面説明図。
【図１７】  従来にかかる問題点を示す説明図。
【符号の説明】
１．．．ガスセンサ，
１０．．．ハウジング，
１５９．．．センサ素子，
１６．．．リード部，
１７．．．リード線，
２．．．コネクタ部，
２０．．．本体部，
２０１．．．かしめ溶接部，
２１．．．先端部，
３２．．．大気側絶縁碍子，
３２２．．．リード部挿通孔，
【図１】
0004479115.tif 000002
【図２】
0004479115.tif 000003
【図３】
0004479115.tif 000004
【図４】
0004479115.tif 000005
【図５】
0004479115.tif 000006
【図６】
0004479115.tif 000007
【図７】
0004479115.tif 000008
【図８】
0004479115.tif 000009
【図９】
0004479115.tif 000010
【図１０】
0004479115.tif 000011
【図１１】
0004479115.tif 000012
【図１２】
0004479115.tif 000013
【図１３】
0004479115.tif 000014
【図１４】
0004479115.tif 000015
【図１５】
0004479115.tif 000016
【図１６】
0004479115.tif 000017
【図１７】
0004479115.tif 000018